(57)【要約】【課題】  本発明は、ローラブラシ体を取外す際に、曲がる等の塑性変形（永久変形）を抑制できる手動掃除具を提供する。【解決手段】  本発明は、枠本体１５に配置されるローラブラシ体７を備える。ローラブラシ体７は、剛性軸４６、剛性軸４６の軸中心線Ｇを同心に配置され、剛性軸４６の各軸端４６Ａ，４６Ｂ側に取付けられる一対のガイドローラ４７，４８と、基布５１の布表面５１Ａから起立したカットパイル５２で形成される清掃ブラシ布４９を備える。清掃ブラシ布４９は、基布５１の布裏面５１Ｂから剛性軸４６の軸外周面４６Ｃに螺旋状に巻付けられて剛性軸に取付けられる。ローラブラシ体７は、剛性軸４６の弾性変形の状態で枠本体１５に取外自在とされて、剛性軸４６の各軸端４６Ａ，４６Ｂ側を枠本体１５に回動自在に軸支する。【選択図】  図１２
2020185237.tif 000002
【特許請求の範囲】
【請求項１】
左右方向の右壁板及び左壁板、前後方向の前壁板及び後壁板で内部空間を区画する枠本体を有し、前記各壁板の上下方向の上端に排出口を形成したケーシング体と、
前記枠本体に回動自在に取付けられる一対のローラ車輪と、
前記ケーシング体内に配置されるローラブラシ体と、
前記枠本体に回動自在に取付けられ、前記排出口を開閉する蓋体と、を備え、
前記各ローラ車輪は、
車輪外周面を前記各壁板の上下方向の下端から突出して配置され、
前記枠本体の外側から前記右壁板及び前記左壁板の夫々に回動自在に軸支され、
前記ローラブラシ体は、
剛性軸と、
前記剛性軸の軸中心線と同心に配置され、前記剛性軸の各軸端側に取付けられる一対のガイドローラと、
基布、及び前記基布の布表面から起立したカットパイルで形成され、前記基布の布裏面から前記剛性軸の軸外周面に螺旋状に巻付けられ、前記カットパイルの先端を前記各ガイドローラの外周面から突出して、前記剛性軸に取付けられる清掃ブラシ布と、を備え、
前記剛性軸の軸中心線を左右方向に向け、前記清掃ブラシ布の前記カットパイルの一部及び前記各ガイドローラの一部を前記各壁板の下端から突出して、前記ケーシング体内に配置され、
前記剛性軸の弾性変形の状態で前記枠本体から取外自在とされて、前記剛性軸の各軸端側を前記枠本体に回動自在に軸支する
ことを特徴とする手動掃除具。
【請求項２】
前記ケーシング体は、
ハンドルを有し、
前記ハンドルは、
前記剛性軸の軸中心線の方向の中心に配置されて、前記後壁板に形成され、
前記後壁板から前記前後方向の後方に延在される
ことを特徴とする請求項１に記載の手動掃除具。
【請求項３】
前記蓋体は、
前記左右方向の右蓋板、及び左蓋板と、
前記右蓋板及び前記左蓋板の間に配置され、前記右蓋板及び前記左蓋板に一体にされる上蓋板と、
前記右蓋板から前記左右方向の左方に突出する第１蓋回動軸と、
前記左蓋板から前記左右方向の右方に突出する第２蓋回動軸と、を備え、
前記右蓋板を前記右壁板の外側に配置し、及び前記左壁板を前記左壁板の外側に配置して、前記第１蓋回動軸を前記右壁板に回動自在に軸支し、及び前記第２蓋回動軸を前記左壁板に回動自在に軸支して、前記枠本体に取付けられ、
前記上蓋板は、
前記排出口を閉じた閉状態で、前記前壁板及び前記排出口を覆って、前記右壁板及び前記左壁板の上端に当接され、
前記右壁板及び前記左壁板は、
前記閉状態で、前記各ローラ車輪の外側に配置され、
前記排出口を開いた開状態で、前記右壁板及び前記左壁板の一部を覆う
ことを特徴とする請求項２に記載の手動掃除具。
【請求項４】
前記ハンドルに配置される操作ボタンと、
前記排出口を閉じた閉状態の前記蓋体を保持する蓋閉じ保持体と、を備え、
前記蓋閉じ保持体は、
前記操作ボタンの操作に伴って、前記蓋体を閉状態から前記排出口を開く方向に押出して、前記蓋体を回動自在にする
ことを特徴とする請求項３に記載の手動掃除具。
【請求項５】
前記排出口を開いた開状態の前記蓋体を保持する蓋開き保持体を備え、
前記蓋開き保持体は、
開状態から前記排出口を閉じる方向の一定の回転力であって、前記蓋体への作用に伴って、前記蓋体を回動自在にする
ことを特徴とする請求項１乃至請求項４の何れかに記載の手動掃除具。
【請求項６】
前記各ローラ車輪は、
前記右壁板及び前記左壁板の夫々に回動自在に取付けられるローラ内輪と、
前記ローラ内輪の外周面に一体に取付けられるローラ外輪と、を有し、
前記ローラ外輪は、
合成ゴムを含む弾性体で形成される
ことを特徴とする請求項１乃至請求項５の何れかに記載に手動掃除具。
【発明の詳細な説明】
【技術分野】
【０００１】
本発明は、絨毯、畳、フローリング、ソファ、椅子、自動車の車内等の掃除に使用される手動掃除具に関する。
【背景技術】
【０００２】
絨毯等を掃除する技術として、特許文献１は手動清掃具を開示する。手動清掃具は、ケーシング内に支持されたローラブラシ体及び傾毛ブラシ体を備える。ローラブラシ体は、一対の支持部に取外自在及び回動自在に軸支される。ローラブラシ体は、針金の芯材に毛材を植設して構成されて、芯材の両端部に転動輪が設けられている。
【先行技術文献】
【特許文献】
【０００３】
【特許文献１】特開２００４−３２９６１８号公報
【発明の概要】
【発明が解決しようとする課題】
【０００４】
特許文献１は、芯材を針金で構成しているので、ローラブラシ体の針金を把持及び引上げて支持部から取外す際に、針金が曲がる等の塑性変形（永久変形）する虞がある。
【０００５】
本発明は、ローラブラシ体を取外す際に、曲がる等の塑性変形（永久変形）を抑制できる手動掃除具を提供することにある。
本発明は、蓋体の閉状態を保持でき、蓋体の開状態を保持できる手動掃除具を提供することにある。
【課題を解決するための手段】
【０００６】
本発明に係る請求項１は、右方向の右壁板及び左壁板、前後方向の前壁板及び後壁板で内部空間を区画する枠本体を有し、前記各壁板の上下方向の上端に排出口を形成したケーシング体と、前記枠本体に回動自在に取付けられる一対のローラ車輪と、前記ケーシング体内に配置されるローラブラシ体と、前記枠本体に回動自在に取付けられ、前記排出口を開閉する蓋体と、を備え、前記各ローラ車輪は、車輪外周面を前記各壁板の上下方向の下端から突出して配置され、前記枠本体の外側から前記右壁板及び前記左壁板の夫々に回動自在に軸支され、前記ローラブラシ体は、剛性軸と、前記剛性軸の軸中心と同心に配置され、前記剛性軸の各軸端側に取付けられる一対のガイドローラと、基布、及び前記基布の布表面から起立したカットパイルで形成され、前記基布の布裏面から前記剛性軸の軸外周面に螺旋状に巻付けられ、前記カットパイルの先端を前記各ガイドローラの外周面から突出して、前記剛性軸に取付けられる清掃ブラシ布と、を備え、前記剛性軸の軸中心線を左右方向に向け、前記清掃ブラシ布の前記カットパイルの一部及び前記各ガイドローラの一部を前記各壁板の下端から突出して、前記ケーシング体内に配置され、前記剛性軸の弾性変形の状態で前記枠本体から取外自在とされて、前記剛性軸の各軸端側を前記枠本体に回動自在に軸支することを特徴とする手動掃除具である。
請求項１では、剛性軸は、ブラシ軸であり、ローラブラシ体は、剛性軸（ブラシ軸）を弾性変形することにより枠本体から取外自在とされて、剛性軸（ブラシ軸）の各軸端側を枠体に回動自在に軸支する構成も採用できる。
【０００７】
本発明に係る請求項２は、前記ケーシング体は、ハンドルを有し、前記ハンドルは、前記剛性軸の軸中心線の方向の中心に配置されて、前記後壁板に形成され、前記後壁板から前記前後方向の後方に延在されることを特徴とする請求項１に記載の手動掃除具である。
【０００８】
本発明に係る請求項３は、前記蓋体は、前記左右方向の右蓋板、及び左蓋板と、前記右蓋板及び前記左蓋板の間に配置され、前記右蓋板及び前記左蓋板に一体にされる上蓋板と、前記右蓋板から前記左右方向の左方に突出する第１蓋回動軸と、前記左蓋板から前記左右方向の右方に突出する第２蓋回動軸と、を備え、前記右蓋板を前記右壁板の外側に配置し、及び前記左壁板を前記左壁板の外側に配置して、前記第１蓋回動軸を前記右壁板に回動自在に軸支し、及び前記第２蓋回動軸を前記左壁板に回動自在に軸支して、前記枠本体に取付けられ、前記上蓋板は、前記排出口を閉じた閉状態で、前記前壁板及び前記排出口を覆って、前記右壁板及び前記左壁板の上端に当接され、前記右壁板及び前記左壁板は、前記閉状態で、前記各ローラ車輪の外側に配置され、前記排出口を開いた開状態で、前記右壁板及び前記左壁板の一部を覆うことを特徴とする請求項２に記載の手動掃除具である。
請求項３では、右蓋板、及び左壁板は、排出口を開いた開状態で、右壁板の一部、左壁板の一部を覆う構成の採用できる。
【０００９】
本発明に係る請求項４は、前記ハンドルに配置される操作ボタンと、前記排出口を閉じた閉状態の前記蓋体を保持する蓋閉じ保持体と、を備え、前記蓋閉じ保持体は、前記操作ボタンの操作に伴って、前記蓋体を閉状態から前記排出口を開く方向に押出して、前記蓋体を回動自在にすることを特徴とする請求項３に記載の手動掃除具である。
【００１０】
本発明に係る請求項５は、前記排出口を開いた開状態の前記蓋体を保持する蓋開き保持体を備え、前記蓋開き保持体は、開状態から前記排出口を閉じる方向の一定の回転力であって、前記蓋体への作用に伴って、前記蓋体を回動自在にすることを特徴とする請求項１乃至請求項４の何れかに記載の手動掃除具である。
【００１１】
本発明に係る請求項６は、前記各ローラ車輪は、前記右壁板及び前記左壁板の夫々に回動自在に取付けられるローラ内輪と、前記ローラ内輪の外周面に一体に取付けられるローラ外輪と、を有し、前記ローラ外輪は、合成ゴムを含む弾性体で形成されることを特徴とする請求項１乃至請求項５の何れかに記載の手動掃除具である。
【発明の効果】
【００１２】
本発明に係る請求項１によれば、ローラブラシ体を枠本体から取外す際、剛性軸に曲げ等の塑性変形（永久変形）を生じることを抑制できる。
【００１３】
本発明に係る請求項２によれば、各ローラ車輪及び各ガイドローラを絨毯、畳、フローリング等の被掃除対象体に接地し、及びハンドルを把持して、ケーシング体（枠本体）を前後方向に往復動することで、ローラブラシ体は正逆回転されて、剛性軸に取付けられた清掃ブラシ布（カットパイル）でゴミ、塵埃を枠本体の内部空間に集塵できる。
【００１４】
本発明に係る請求項３によれは、蓋体を回動することで、ケーシング体の排出口を開閉することできる。
【００１５】
本発明に係る請求項４によれば、掃除中に、ローラブラシ体（カットパイル）を被掃除対象体に押付けることで、蓋体に閉状態から排出口を開く方向への力（回転力）が作用しても、蓋閉じ保持体によって蓋体の閉状態を保持できる。
【００１６】
本発明に係る請求項５によれば、蓋開き保持体によって蓋体の開状態を保持することで、蓋体を閉じることなく、排出口を上下方向の下方に向けて、集塵したゴミ、塵埃を内部空間から排出できる。
【００１７】
本発明に係る請求項６によれば、各ローラ車輪の外周面を合成ゴム等の弾性体で形成しているので、被掃除対象体を各ローラ車輪で傷つけることを防止できる。
【図面の簡単な説明】
【００１８】
【図１】手動掃除具を示す図であって、蓋体を閉じた状態の斜視図である。
【図２】手動掃除具を示す図であって、蓋体を閉じた状態の上面図である。
【図３】手動掃除具を示す図であって、蓋体を閉じた状態の下面図である。
【図４】手動掃除具を示す図であって、蓋体を閉じた状態の右側面図である。
【図５】図２のＡ−Ａ断面図である（突出片を第２除塵ブラシ体側に配置）。
【図６】図２のＡ−Ａ断面図である（突出片を第１除塵ブラシ体側に配置）。
【図７】図２のＢ−Ｂ断面拡大図である。
【図８】図４のＣ−Ｃ部分断面拡大図である。
【図９】ローラブラシ体を示す斜視図である。
【図１０】（ａ）は、蓋体、第１及び第２爪を示す正面図、（ｂ）は、蓋体、第１及び第２爪を示す上面図である。
【図１１】（ａ）は、蓋体、第１及び第２爪を示す右側面図、（ｂ）は、図１０（ｂ）のＤ−Ｄ断面図、（ｃ）は、図１０（ｂ）のＥ−Ｅ断面図である。
【図１２】手動掃除具を示す図であって、蓋体を開いた状態の斜視図である。
【図１３】手動掃除具を示す図であって、蓋体を開いた状態の上面図である。
【図１４】手動掃除具を示す図であって、蓋体を開いた状態の右側拡大面図である。
【図１５】手動掃除具を示す図であって、蓋体を開いた状態の左側拡大面図である。
【図１６】図２のＡ−Ａ一部断面図であって、押出し板、第２爪及び各ハンドル止め突起の動作を示す拡大断面図である。
【図１７】図２のＢ−Ｂ断面拡大図であって、各第１爪、及び各ボタン止め突起の動作を示す拡大断面図である。
【図１８】蓋体の開閉動作を示す側面図である。
【発明を実施するための形態】
【００１９】
本発明に係る手動掃除具について、図１乃至図１８を参照して説明する。
【００２０】
図１乃至図１８において、手動掃除具Ｘは、ケーシング体１、捕塵ブラシ体２、第１除塵ブラシ体３、第２除塵ブラシ体４、左右一対のローラ車輪５，６、ローラブラシ体７、蓋体８、操作ボタン９、蓋閉じ保持体１０、及び蓋開き保持体１１を備える。
【００２１】
ケーシング体１は、図１乃至図５及び図１２乃至図１４に示すように、枠本体１５、仕切壁１６、及び左右一対のストッパ片１７，１８を有する。
ケーシング体１は、例えば、合成樹脂にて枠本体１５、仕切壁１６、各ストッパ片１７，１８を一体に形成する。
【００２２】
枠本体１５は、図１乃至図５及び図１２乃至図１４に示すように、左右方向ＬＲの右壁板２０（右壁）及び左壁板２１（左壁）と、前後方向ＦＲの前壁板２２（前壁）及び後壁板２３で内部空間ＩＡを区画する。枠本体１５（ケーシング体１）は、上下方向ＵＤの各壁板２０〜２３の上端１５Ａに排出口２４を形成する。
なお、前後方向ＦＲは、左右方向ＬＲと直交する方向、上下方向ＵＤは、左右方向ＬＲ及び前後方向ＦＲと直交する方向である。
【００２３】
仕切壁１６（仕切壁板）は、図５、図１２及び図１３に示すように、右壁板２０及び左壁板２１の間に配置され、右壁板２０及び左壁板２１と一体に形成される。
これにより、仕切壁１６は、内部空間ＩＡを、後壁板２３側の第１集塵室ＩＢ及び前壁板２２側の第２集塵室ＩＣに区画する。
【００２４】
各ストッパ片１７，１８は、図５、図１２及び図１３に示すように、枠本体１５と一体に形成される。各ストッパ片１７，１８は、左右方向ＬＲにおいて、右壁板２０、左壁板２１に隙間を隔てて配置される。各ストッパ片１７，１８は、上下方向ＵＲの下方に突出して、第１集塵室１Ｂに配置される。
【００２５】
ケーシング体１は、図３及び図１２乃至図１５に示すように、左右一対の車輪軸２５，２６を有する。
各車輪軸２５，２６は、例えば、円筒状に形成され、後壁板２３側の右壁板２０、後壁板２３側の左壁板２１の夫々と一体に形成される。車輪軸２５は、右壁板２０から外方（右方）に突出され、車輪軸２６は、左壁板２１から外方（左方）に突出される。
【００２６】
ケーシング体１は、図３、図５、図８及び図１２乃至図１５に示すように、底壁板２７、左右一対のブラシ支持板２８，２９、一対の回動穴３０，３１、一対の蓋回動穴３２，３３、第２捕塵口ＣＢ及びハンドル３４を有する。
【００２７】
底壁板２７は、図３に示すように、上下方向ＵＤの下方から第２集塵室ＩＣを閉塞して、仕切壁１６、右壁板２０、左壁板２１及び前壁板２２と一体に形成される。
【００２８】
各ブラシ支持板２８，２９は、図５、図８、図１２及び図１３に示すように、合成樹脂等であって、左右方向ＬＲに弾性変形できる弾性体（弾性変形自在な弾性体）で形成され、第２集塵室ＩＣに配置される。各ブラシ支持板２８，２９は、左右方向ＬＲに間隔を隔てて並設される。
各ブラシ支持板２８，２９は、底壁板２７と一体に形成され、上下方向ＵＤにおいて、底壁板２７から上方（排出口２４側）に延在される。
【００２９】
各回動穴３０，３１は、図８に示すように、各ブラシ支持板２８，２９の夫々に並設して配置されて、左右方向ＬＲにおいて、各ブラシ支持板２８，２９を貫通する。
【００３０】
各蓋回動穴３２，３３は、図８に示すように、前壁板２２側の右壁板２０及び左壁板２１の夫々に並設して配置される。各蓋回動穴３２，３３は、左右方向ＬＲにおいて、右壁板２０、左壁板２１の夫々を貫通して第２集塵室ＩＣに開口される。
【００３１】
第２捕塵口ＣＢは、図３に示すように、第２集塵室ＩＣにおいて、底壁板２７に形成される。第２捕塵口ＣＢは、上下方向ＵＤにおいて、底壁板２７を貫通して第２集塵室ＩＣに開口される。
【００３２】
ハンドル３４は、図1乃至図５に示すように、左右方向ＬＲにおいて、各ブラシ支持板２８，２９の間の中心に配置される。ハンドル３４は、後壁板２３と一体に形成される。ハンドル３４は、前後方向ＦＲにおいて、後壁板２３から後方に延在される。
ハンドル３４は、図５に示すように、ボタン収納穴３５、及びボタン止め壁板３６（ボタン止め壁）を有する。
【００３３】
ボタン収納穴３５は、図５及び図１２に示すように、排出口２４に隣接して形成される。ボタン収納穴３５は、前後方向ＦＲにおいて、排出口２４側（後壁板２３側）から後方に延在し、及び上下方向ＵＤにおいて、ハンドル３４を貫通して、ハンドル３４の上端３４Ａに開口される。
【００３４】
ボタン止め壁板３６は、図３及び図３に示すように、ボタン収納穴３５に配置されて、ハンドル３４と一体に形成される。ボタン止め壁板３６は、前後方向ＵＤにおいて、後壁板２３（排出口２４）に間隔を隔ててハンドル３４内に配置される。ボタン止め壁板３６は、上下方向ＵＤの下方に突出する。
【００３５】
捕塵ブラシ体２は、図３、図５、図１２及び図１３に示すように、第１集塵室ＩＢに配置される。捕塵ブラシ体２は、ドラム本体３７、突出片３８、第１捕塵ブラシ３９及び第２捕塵ブラシ４０を有する。
【００３６】
ドラム本体３７は、図５、図１２及び図１３に示すように、筒中心線Ａの方向に集塵口４１を形成した不完全円筒状に形成される。
【００３７】
突出片３８は、図３及び図５に示すように、弾性体であって、例えば、合成ゴムで形成される。突出片３８は、ドラム本体３７の周方向において、集塵口４１の一方の口縁４１Ａ及び他方の口縁４１Ｂの中心に配置されて、ドラム本体３７に取付けられる。
突出片３８は、ドラム本体３７の外周面から径外方向に突出される。
【００３８】
第１捕塵ブラシ３９は、図５に示すように、ドラム本体３７の周方向において、集塵口４１の一方の口縁４１Ａ及び突出片３８の間に配置されて、ドラム本体３７の外周面に取付けられる。第１捕塵ブラシ３９は、集塵口４１の一方の口縁４１Ａに向けて傾斜した複数の傾斜パイル（傾斜カットパイル）で形成される。
【００３９】
第２捕塵ブラシ４０は、図５に示すように、ドラム本体３７の周方向において、集塵口４１の他方の口縁４１Ｂ及び突出片３８の間に配置されて、ドラム本体３７の外周面に取付けられる。第２捕塵ブラシ４０は、集塵口４１の他方の口縁４１Ｂに向けて傾斜した複数の傾斜パイル（傾斜カットパイル）で形成される。
【００４０】
捕塵ブラシ体２は、図３、図５及び図１３に示すように、ドラム本体３７の筒中心線Ａを左右方向ＬＲに向けて第１集塵室ＩＢに配置される。ドラム本体３７は、図５に示すように、ドラム本体３７の外周面の一部（第１及び第２捕塵ブラシ３９，４０の一部）、及び突出片３８を、上下方向ＵＤの各壁板２０〜２３の下端１５Ｂの第１捕塵口ＣＡから突出して配置される。ドラム本体３７は、右壁板２０及び左壁板２１（枠本体１５）に回動自在に軸支される。
【００４１】
各ストッパ片１７，１８は、図５及び図１３に示すように、集塵口４１からドラム本体３７内に突出される。各ストッパ片１７，１８は、ドラム本体３７の周方向において、集塵口４１の各口縁４１Ａ，４１Ｂに間隔を隔てて配置される。
【００４２】
第１除塵ブラシ体３は、図３及び図５に示すように、第１ワイパー本体４２及び第１除塵ブラシ４３を有する。
第１除塵ブラシ４３は、第１ワイパー本体４２に取付けられる。第１除塵ブラシ４３は、第１捕塵ブラシ３９と同方向に傾斜した複数の傾斜パイル（傾斜カットパイル）で形成される。第１ワイパー本体４２は、前後方向ＦＲにおいて、ドラム本体３７及び仕切壁１６の間に配置され、第１除塵ブラシ４３を第１捕塵ブラシ３９に圧接して、第１集塵室ＩＢに配置される。第１ワイパー本体４２は、左右方向ＬＲに延在して、枠本体１５に揺動自在に軸支される。
【００４３】
第２除塵ブラシ体４は、図３及び図５に示すように、第２除塵ブラシ体４は、第２ワイパー本体４４及び第２除塵ブラシ４５を有する。
第２除塵ブラシ４５は、第２ワイパー本体４４に取付けられる。第２除塵ブラシ４５は、第２捕塵ブラシ４０と同一方向に傾斜して複数の傾斜パイル（傾斜カットパイル）で形成される。第２ワイパー本体４４は、前後方向ＦＲにおいて、ドラム本体３７（捕塵ブラシ体２）及び後壁板２３の間に配置され、第２除塵ブラシ４５を第２捕塵ブラシ４０（捕塵ブラシ体２）に圧接して、第１集塵室ＩＢに配置される。第２ワイパー本体４４は、左右方向ＬＲに延在されて、枠本体１５に揺動自在に軸支される。
【００４４】
各ローラ車輪５，６は、図１乃至図４及び図１２に示すように、ローラ内輪９５及びローラ外輪９６を有し、ローラ内輪９５は、例えば、合成樹脂で形成される。
ローラ外輪９６は、例えば、合成ゴムを含む弾性体で形成される。ローラ外輪９６は、ローラ内輪９５の外周面に一体に取付けられる。
【００４５】
ローラ車輪５は、車輪軸２５と同心に配置される。ローラ車輪５は、ローラ車輪５の車輪外周面（ローラ外輪９６外周面）をドラム本体３７の外周面及び突出片３８の先端の間に位置して、右壁板２０に取付けられる。ローラ車輪５は、右壁板２０の外側からローラ内輪９５を車輪軸２５に外嵌して、右壁板２０に回動自在に取付けられる。
ローラ車輪６は、車輪軸２６と同心に配置される、ローラ車輪６は、ローラ車輪６の車輪外周面（ローラ外輪９６の外周面）を、ドラム本体３７の外周面及び突出片３８の先端の間に位置して、左壁板２１に取付けられる。ローラ車輪６は、左壁板２１の外側からローラ内輪９５を車輪軸２６に外嵌して、枠本体１５の左壁板２１に回動自在に取付けられる。
【００４６】
ローラブラシ体７は、図９に示すように、剛性軸４６、左右一対のガイドローラ４７，４８、及び清掃ブラシ布４９を有する。
【００４７】
剛性軸４６は、図９に示すように、ブラシ軸であって、例えば、剛性を有するアルミニウム合金等の金属で円筒状（又は断面円形）に形成される。
【００４８】
各ガイドローラ４７，４８は、図９に示すように、ローラ回動軸５０を有し、例えば、合成樹脂等で形成される。ローラ回動軸５０は、ガイドローラ４７，４８と同心に配置されて、車輪表面４７Ａ，４８Ａから突出される。
各ガイドローラ４７，４８は、剛性軸４６の軸中心線Ｇと同心に配置されて、車輪裏面４７Ｂ，４８Ｂから剛性軸４６の各軸端４６Ａ，４６Ｂ側に回動自在に取付けられる。
【００４９】
清掃ブラシ布４９は、図９に示すように、基布５１、及び基布５１の布表面５１Ａ（表面）から起立された複数のカットパイル５２を有する。
基布５１は、経方向Ｑに並んだ各緯糸（図示しない）の間に、緯方向Ｐに並んだ経糸（図示しない）を織込んで形成される。
複数のカットパイル５２は、緯方向Ｐにおいて、各経糸の間に配置される。各カットパイル５２は、経方向Ｑに沿って基布５１にＷ織り、又はＶ織りされて、Ｗ型パイル又はＶ型パイルを構成する。
各カットパイル５２は、例えば、緯方向Ｐにおいて、１列、連続して基布５１に織込まれる。
【００５０】
清掃ブラシ布４９は、図９に示すように、各ガイドローラ４７，４８の間に配置される。清掃ブラシ布４９の１枚又は複数枚は、基布５１の布裏面５１Ｂ（裏面）から剛性軸４６の軸外周面４６Ｃに螺旋状に巻付けられて、剛性軸４６に接着剤等で取付けられる。
これにより、清掃ブラシ布４９は、各カットパイル５２を各ガイドローラ４７，４８の外周面から突出した円形状に形成される。
【００５１】
ローラブラシ体７は、図３、図８、図１２及び図１３に示すように、剛性軸４６の軸中心線Ｇを左右方向ＬＲに向け、清掃ブラシ布４９の各カットパイル５２の一部及び各ガイドローラ４７，４８の一部を各壁板２０〜２３の下端１５Ｂ（第２集塵口ＣＢ）から突出して、第２集塵室１Ｃ内（ケーシング体１内）に配置される。
ローラブラシ体７は、各ブラシ支持板２８，２９を左右方向ＬＲに弾性変形しつつ剛性軸４６及び各ガイドローラ４７，４８を各ブラシ支持板２８，２９の間に挿入し、及び剛性軸４６を弾性変形の状態で上下方向ＵＤの下方に押下げて、各ガイドローラ４７，４８の各回動軸５０を各回動穴３０，３１に挿入する。これにより、ローラブラシ体７は、各ブラシ支持板２８，２９に回動自在に軸支される。
ローラブラシ体７は、一方のブラシ支持板２８を左右方向ＬＲに弾性変形して広げて、剛性軸４６を弾性変形しつつ上下方向ＵＤの上方に引上げて、各ガイドローラ４７，４８の各回動軸５０を各回動穴３０，３１から抜いて、各ブラシ支持板２８，２９（枠本体１５）から取出される
これにより、ローラブラシ体７は、剛性軸４６の弾性変形の状態で各ブラシ支持板２８，２９（枠本体１５）から取外自在にされて、及び剛性軸４６の各軸端４６Ａ，４６Ｂ側を各ブラシ支持板２８，２９（枠本体１５）に回動自在に軸支する。
また、ハンドル３４は、剛性軸４６の軸中心線Ｇの方向の中心に配置される。
【００５２】
蓋体８は、枠本体１５に回動自在に取付けられ、排出口２４を開閉する。蓋体８は、図1、図５、図１０及び図１１に示すように、左右方向の右蓋板５３及び左蓋板５４、上蓋板５５、第１蓋回動軸５６、第２蓋回動軸５７及び蓋仕切板５８を有する。
【００５３】
上蓋板５５は、右蓋板５３及び左蓋板５４の間に配置されて、右蓋板５３及び左蓋板５４と一体に形成される。上蓋板５５は、例えば、上下方向ＵＤの上方に突出する円孤状に形成される。
【００５４】
第１蓋回動軸５６は、前後方向ＦＲにおいて、右蓋板５３の前方側に配置されて、右蓋板５３に一体に形成される。第１蓋回動軸５６は、右蓋板５３の内板面（裏板面）から左右方向ＬＲの左方に突出する。
第２蓋回動軸５７は、前後方向ＦＲにおいて、左蓋板５４の前方側に配置されて、左蓋板５４と一体に形成される。第２蓋回動軸５７は、第１蓋回動軸５６と同心に配置されて、左蓋板５４の内板面（裏板面）から左右方向ＬＲの右方に突出する。
【００５５】
蓋仕切板５８は、上蓋板５５と一体に形成される。蓋仕切板５８は、上下方向ＵＤにおいて、上蓋板５５の内板面５５Ａ（裏板面）から下方に突出される。
【００５６】
蓋体８は、図1乃至図３に示すように、右蓋板５３を右壁板２０の外側に配置する。右蓋板５３は、左右方向ＬＲにおいて、右壁板２０に間隔を隔てて配置される。
蓋体８は、左蓋板５４を左壁板２１の外側に配置する。左蓋板５４は、左右方向ＬＲにおいて、左壁板２１に間隔を隔てて配置される。
蓋体８は、図８に示すように、第１蓋回動軸５６を右壁板２０の外側から蓋回動穴３２に挿入して、右壁板２０に回動自在に軸支する。蓋体８は、第２蓋回動軸５７を左壁板２１の外側から蓋回動穴３３に挿入して、左壁板２１に回動自在に軸支する。
【００５７】
蓋体８は、図１及び図１２に示すように、第１及び第２蓋回動軸５６，５７を回動中心として回動（揺動）して、排出口２４を閉じた閉状態（以下、「閉状態」という）、又は排出口２４を開いた開状態（以下、「開状態」という）にされる。
【００５８】
上蓋板５５は、図５に示すように、閉状態で、前壁板２２及び排出口２４を覆って、右壁板２０の上端、左壁板２１の上端及び各ブラシ支持板２８，２９の上端に当接される。上蓋板５５は、閉状態で、前壁板２２の前方に配置されて、前壁板２２の下端側に延在される。
蓋仕切板５８は、閉状態で、上下方向ＵＤの上方から仕切壁１６に当接されて、蓋仕切板５８とで第１集塵室ＩＢ及び第２集塵室ＩＣを完全に遮断（閉塞）する。
【００５９】
右蓋板５３及び左蓋板５４は、図１乃至図４に示すように、閉状態で、各ローラ車輪５，６の外側に配置されて、各ローラ車輪５，６の一部を覆う。右蓋板５３及び左蓋板５４は、図１２乃至図１５に示すように、開状態で、右壁板２０の一部、及び左壁板２１の一部を覆う。
【００６０】
操作ボタン９は、図２及び図１３に示すように、ボタン本体６０、及び左右一対のボタン回動軸６１，６２を有する。
【００６１】
各ボタン回動軸６１，６２は、前後方向ＦＲにおいて、ボタン本体６０の前方側に配置されて、ボタン本体６０と一体に形成される。ボタン回動軸６１は、左右方向ＬＲにおいて、ボタン本体６０から右方に突出される。ボタン回動軸６２は、左右方向ＬＲにおいて、ボタン本体６０から左方に突出される。
【００６２】
ボタン本体６０は、図１２及び図１３に示すように、前後方向ＦＲの前方に爪挿入間隔δを隔ててボタン収納穴３５に配置される。ボタン本体６０は、各ボタン回動軸６１，６２を左右方向ＬＲに向けて、ボタン収納穴３５に配置される。ボタン本体６０は、各ボタン回動軸６１，６２をハンドル３４に軸支して、ハンドル３４に回動自在に軸支される。
【００６３】
蓋閉じ保持体１０は、排出口２４を閉じた閉状態の蓋体８を保持し、操作ボタン９の操作に伴って、蓋体８を閉状態から排出口２４を開く方向に押出して、蓋体８を回動自在にする。
蓋閉じ保持体１０は、図５、図７及び図１０乃至図１２に示すように、左右一対のボタン止め突起６３，６４、左右一対のハンドル止め突起６５，６６、押出し板６７、左右一対の第１爪６８，６９、及び第２爪７０を有する。
【００６４】
各ボタン止め突起６３，６４は、図７及び図１２に示すように、前後方向ＦＲにおいて、ボタン本体６０の前端６０Ａ及び各ボタン回動軸６１，６２の間に配置される。各ボタン止め突起６３，６４は、左右方向ＬＲに間隔を隔てて、ボタン本体６０に形成される。
各ボタン止め突起６３，６４は、上下方向ＵＤにおいて、各ボタン止め突起６３，６４の下端に突起止め傾斜面７１を有する。突起止め傾斜面７１は、各ボタン回動軸６１，６２から上下方向ＵＤの下方及び前後方向ＦＲの前方に延在しつつ傾斜される。
【００６５】
各ハンドル止め突起６５，６６は、図５及び図１２に示すように、ボタン収納穴３５に位置してハンドル３４に形成される。各ハンドル止め突起６５，６６は、前後方向ＵＤの前方に爪挿入間隔δを隔てて、排出口２４側に突出される。各ハンドル止め突起６５，６６は、上下方向ＵＤにおいて、各ボタン止め突起６３，６４の下方に配置される。各ハンドル止め突起６５，６６は、左右方向ＬＲに間隔を隔てて配置される。
各ハンドル止め突起６５，６６は、上下方向ＵＤにおいて、各ハンドル止め突起６５，６６の下端に突起止め平面７２を有する。突起止め平面７２は、左右方向ＬＲ及び前後方向ＦＲに平行する平面である。
【００６６】
押出し板６７は、ボタン収納穴３５に配置されてボタン本体６０に一体に形成される。押出し板６７は、ボタン本体６０（操作ボタン９）の回動に伴って、ボタン収納穴３５からハンドル３４に当接され、及びボタン止め壁板３６に当接される。
押出し板６７は、図５及び図１２に示すように、各ボタン止め突起６３，６４及び各ハンドル止め突起６５，６６に間隔を隔てて、各ボタン止め突起６３，６４の間及び各ハンドル止め突起６５，６６の間に配置される。
押出し板６７は、上下方向ＵＤにおいて、ボタン本体６０から各ハンドル止め突起６５，６６まで延在される。
【００６７】
各第１爪６８，６９は、図７、図１０及び図１１に示すように、前後方向ＬＲの上蓋板５５の後端側に位置して、上蓋板５５に形成される。各第１爪６８，６９は、左右方向ＬＲに間隔を隔てて配置される。各第１爪６８，６９は、図１０に示すように、左右方向ＬＲにおいて、上蓋板５５の中心から右方及び左方の夫々に等間隔を隔てて並設される。第１爪６８，６９は、合成樹脂等の弾性体で形成される。
各第１爪６８，６９は、第１爪支持部７３（第１爪支持板）、及び第１爪突起７４を有する。
【００６８】
第１爪支持部７３は、図７、図１０及び図１１に示すように、上蓋板５５に片持ち支持されて、上蓋板５５に一体に形成される。第１爪支持部７３は、上蓋板５５から上下方向ＵＤの下方に突出される。
【００６９】
第１爪突起７４は、図７、図１０及び図１１に示すように、第１爪支持部７３の下端側から前後方向ＵＤの後方に突出される。第１爪突起７４は、上下方向ＵＤの上端に各ボタン止め突起６３，６４の突起止め傾斜面７１に当接自在な突起傾斜面７５を有する。突起傾斜面７５は、第１爪支持部７３から前後方向ＦＲの後方及び上下方向ＵＤの上方に延在しつつ傾斜される。
【００７０】
第２爪７０は、図５、図１０及び図１１に示すように、前後方向ＦＲの上蓋板５５の後端側に位置して、上蓋板５５に形成される。第２爪７０は、各第１爪６８，６８の間に配置される。第２爪７０は、左右方向ＬＲにおいて、上蓋板５５の中心に配置される。第２爪７０は、合成樹脂等の弾性体で形成される。
第２爪７０は、第２爪支持部７６（第２爪支持板）、及び第２爪突起７７を有する。
【００７１】
第２爪支持部７６は、図５、図１０及び図１１に示すように、上蓋板５５に片持ち支持されて、上蓋板５５と一体に形成される。第２爪支持部７６は、上下方向ＵＤにおいて、上蓋板５５から各第１爪６８，６８（第１爪突起７４）の下方に突出（延在）される。
【００７２】
第２爪突起７７は、図５、図１０及び図１１に示すように、第２爪支持部７６の上下方向ＵＤの下端側か前後方向ＵＤの後方に突出される。
第２爪突起７７は、上下方向ＵＤの上端に各ハンドル止め突起６５，６６の突起止め平面７２に当接自在な突起平面７８を有する。突起平面７８は、左右方向ＬＲ及び前後方向ＦＲに平行する平面である。
【００７３】
蓋閉じ保持体１０において、蓋体８を開状態から回転すると、各第１爪６８，６９は、図１６（ｂ）に示すように、挿入間隔δに挿入されて、第１爪突起７４を各ボタン止め突起６３，６４に当接し、第２爪７０は、図１７（ｂ）に示すように、爪挿入間隔δに挿入され、第２爪突起７７を各ハンドル止め突起６５，６６及び押出し板６７に当接する。
【００７４】
蓋体８の閉状態への回転に伴って、各第１爪６８，６９は、図７に示すように、各ボタン止め突起６３，６４の当接によって、前後方向ＦＲの前方に弾性変形して、上下方向ＵＤの下方から突起傾斜面７５を各ボタン止め突起６３，６４の突起止め傾斜面７１に当接し、第２爪７０は、図５に示すように、各ハンドル止め突起６５，６６の当接によって、前後方向ＦＲの前方に弾性変形して、上下方向ＵＤの下方から各ハンドル止め突起６５，６６の突起止め平面７２に当接する。
これにより、蓋閉じ保持体１０は、開状態の蓋体８が開く方向へ回転するのを不能として、閉状態の蓋体８を保持する。
【００７５】
蓋体８の開状態への回転に伴って、第２爪７０は、第２爪突起７７を押出し板６７に当接し、前後方向ＦＲの後方に押出して、ボタン本体６０を回転する。押出し板６７は、ボタン本体６０と共に回転して、ハンドル３４に当接される。
これにより、ボタン本体６０は、回転が止められ、ハンドル３４の上端３４Ａ（上表面）に面一となるボタン閉位置Ｐ１にされる（ハンドル３４の上端３４Ａ側のボタン閉位置Ｐ１）。
【００７６】
ボタン閉位置Ｐ１のボタン本体６０を上下方向ＵＤの下方に押して、ボタン本体６０を上下方向ＵＤ下方に回転する。
押出し板６７は、図１６（ａ）に示すように、ボタン本体６０の下方の回転（一方の回転）に伴って、第２爪７０の第２爪突起７７に押付けられ、閉状態から排出口２４を開く方向に蓋体８を押し、第２爪７０（第２爪支持部７６、第２爪突起７７）を前後方向ＵＤの前方及び上下方向ＵＤの下方に弾性変形する。
これにより、押出し板６７は、図１６（ｂ）に示すように、第２爪７０の突起平面７８を、各ハンドル止め突起６５，６６の突起止め平面７２から離間して、第２爪７０を第２爪挿入間隔δ２に移動（離間）する。
【００７７】
各ボタン止め突起６３，６４は、図１７（ａ）に示すように、ボタン本体６０の一方の回転に伴って、上下方向ＵＤの上方に旋回されて、突起止め傾斜面７１を各第１爪６８，６９の突起傾斜面７５から離間する。押出し板６７は、第２爪７０の前方への押出しに伴って、各第１爪６８，６９（蓋体８）を排出口２４を開く方向に移動する。これにより、第１爪６８，６９は、図１７（ｂ）に示すように、ボタン本体６０の一方の回転及び押出し板６７による第２爪７０の押出しによって、突起傾斜面７５を各ボタン止め突起６３，６４の第１突起止め傾斜面７１から離間して、挿入間隔δに配置（移動）される。このように、蓋閉じ保持体１０は、操作ボタン９（ボタン本体６０）の操作に伴って、蓋体８を回動自在にする。
【００７８】
蓋開き保持体１１は、排出口２４を開いた開状態の蓋体８を保持し、開状態から排出口２４を閉じる方向の一定の回転力であって、蓋体８への作用に伴って、蓋体８を回動自在にする。
【００７９】
蓋開き保持体１１は、図８、図１０乃至図１５に示すように、第１及び第２ガイド円弧溝８０，８１、第１及び第２止め突起８２，８３、第１及び第２ガイド突起８４，８５を有する。
【００８０】
第１ガイド円弧溝８０は、図１４に示すように、前後方向ＵＤのローラ車輪５及び前壁板２２の間に配置され、右壁板２０に形成される。第１ガイド円弧溝８０は、第１蓋回動軸５６と同心に配置され、後壁板２３側の右壁板２０の下端１５Ｂ側、及び前壁板２２側の右壁板２０の下端１５Ｂ側で円弧状に形成される。第１ガイド円弧溝８０は、右蓋板５３に向けて開口される。
【００８１】
第２ガイド円弧溝８１は、図１５に示すように、前後方向ＵＤのローラ車輪６及び前壁板２２の間に配置され、左壁板２１に形成される。第２ガイド円弧溝８１は、第２蓋回動軸５７と同心に配置され、後壁板２３側の左壁板２１の下端１５Ｂ側、及び前壁板２２側の左壁板２１の下端１５Ｂ側で円弧状に形成される。第２ガイド円弧溝８１は、左蓋板５４に向けて開口される。第２ガイド円弧溝８１は、第１ガイド円弧溝８０と同一円弧状に形成される。
【００８２】
第１止め突起８２は、図１４に示すように、第１ガイド円弧溝８０に配置される。第１止め突起８２は、第１ガイド円弧溝８０の前壁板２２側に配置されて、第１ガイド円弧溝８０の溝底面８０Ａから右蓋板５３に向けて突出される。第１止め突起８２は、前後方向ＵＤの後方に第１ガイド斜面８６を有する。
【００８３】
第２止め突起８３は、図１５に示すように、第２ガイド円弧溝８１に形成される。第２止め突起８３は、第２ガイド円弧溝８１の前壁板２２側に配置されて、第２ガイド円弧溝８１の溝底面８１Ａから左蓋板５４に向けて突出される。第２止め突起８３は、第１止め突起８２と同一位置に形成されて、前後方向ＵＤの後方に第２ガイド斜面８７を有する。
【００８４】
第１ガイド突起８４は、図１０、図１１及び図１４に示すように、蓋体８の右壁板２０に形成される。第１ガイド突起８４は、右壁板２０から突出されて、第１ガイド円弧溝８０の溝底面８０Ａに隙間を隔てて、第１ガイド円弧溝８０内に挿入される。
【００８５】
第２ガイド突起８５は、図１０、図１１及び図１４に示すように、蓋体８の左壁板２１に形成される。第２ガイド突起８５は、左壁板２１から突出されて、第２ガイド円弧溝８１の溝底面８１Ａに隙間を隔てて、第２ガイド円弧溝８１内に挿入される。第２ガイド突起８５は、第１ガイド突起８４と同一位置に形成される。
【００８６】
蓋開き保持体１１において、第１及び第２ガイド突起８４，８５は、図１８（ａ）に示すように、閉状態で、後壁板２３側の第１及び第２ガイド円弧溝８０，８１に配置される。第１及び第２ガイド突起８４，８５は、閉状態で、第１及び第２ガイド円弧溝８０，８１の後方溝端８０Ｂ，８１Ｂに当接される。
【００８７】
第１及び第２ガイド突起８４，８５は、図１８（ｂ）に示すように、閉状態から排出口２４を開く方向の蓋体８の回転に伴って、第１及び第２ガイド斜面８６，８７に当接され、第１及び第２止め突起８２，８３の夫々を乗越えて、前壁板２２側の第１及び第２ガイド円弧溝８０，８１の夫々に配置される。蓋体８は、開状態で、上蓋板５５の前端を底壁板２７（下端１５Ｂ）に当接される。
【００８８】
第１及び第２ガイド突起８４，８５は、図１８（ｃ）に示すように、開状態で、第１及び第２ガイド円弧溝８０，８１の前方溝端と、第１及び第２止め突起８２，８３の間に配置される。
第１及び第２ガイド突起８４，８５は、開状態から閉じる方向の一定の回転力未満（一定の力未満）であって、蓋体８への作用に伴って、第１及び第２止め突起８２，８３の夫々に当接して、蓋開き保持体１１は蓋体８の開状態を保持する。
これにより、排出口２４を上下方向ＵＤの下方に向けることで、蓋体８を閉じることなく、第１及び第２集塵室１Ｂ，１Ｃ（内部空間１Ａ）から集めたゴミ、塵埃を排出できる。
【００８９】
第１及び第２ガイド突起８４，８５は、開状態から排出口２４を閉じる方向の一定の回転力以上（一定の力以上）であって、蓋体８への作用に伴って、第１及び第２止め突起８２，８３の夫々を乗越えて、後壁板２３側の左右壁板２０，２１の下端の第１及び第２ガイド円弧溝８０，８１に配置される。第１及び第２ガイド突起８４，８５は、第１及び第２ガイド円弧溝８０，８１の後方溝端８０Ｂ，８１Ｂの夫々に当接される。
これにより、蓋体８は、閉状態とされ、排出口２４を閉じる。
【００９０】
次に、手動掃除具Ｘを使用した掃除について、図５乃至図７を参照して説明する。
なお、説明の便宜上、突出片３８は、図６に示すように、第１捕塵ブラシ３９側に位置し、ドラム本体３７は、前後方向ＵＤの前方からストッパ片１７，１８に当接しているものとする。
【００９１】
手動掃除具Ｘは、各ローラ車輪５，６を絨毯、畳、フローリング等の被掃除対象体（以下、「被掃除対象体」という）に接地して、ローラブラシ体７（カットパイル５２）、第２捕塵ブラシ４０（傾斜パイル）、及び突出片３８を被掃除対象体に当接して配置される。
【００９２】
続いて、ハンドル３４を把持して、ケーシング体１を前後方向ＦＲの前方に移動すると、ローラブラシ体７及び捕塵ブラシ体２のドラム本体３７は、一方に回転される。
これにより、ローラブラシ体７は、図５に示すように、カットパイル５２にてゴミ、塵埃を第２集塵室ＩＣ内（内部空間ＩＡ内）に集塵し、捕塵ブラシ体２は、第２捕塵ブラシ４０にて塵埃を第１集塵室ＩＢ内に集塵する。このとき、第１捕塵ブラシ３９に付着する塵埃は、第１除塵ブラシ体３の第１除塵ブラシ４３で取除かれて、第１集塵室ＩＢ内に集塵される。ドラム本体３７は、前後方向ＦＲｂの後方から各ストッパ片１７，１８に当接される。
【００９３】
続いて、ケーシング体１を前後方向ＦＲの後方に移動すると、ローラブラシ体７及び捕塵ブラシ体２のドラム本体３７は、他方に回転される。
これにより、ローラブラシ体７は、図６に示すように、カットパイル５２にてゴミ、塵埃を第２集塵室ＩＣ内（内部空間ＩＡ内）に集塵し、捕塵ブラシ体２は、第１捕塵ブラシ３９にて塵埃を第１集塵室ＩＢ内に集塵する。このとき、第２捕塵ブラシ４０に付着する塵埃は、第２除塵ブラシ体４の第２除塵ブラシ４５で取除かれて、第１集塵室ＩＢ内に集塵される。ドラム本体３７は、前後方向ＵＤの前方から各ストッパ片１７，１８に当接される。
このように、手動掃除具Ｘは、ケーシング体１を前後方向ＵＤに往復動することで、ゴミ、塵埃を第１及び第２集塵室ＩＢ，ＩＣ内（内部空間ＩＡ内）に集塵する。
【００９４】
ケーシング体１の前方の移動に伴って、ローラブラシ体７（カットパイル５２）、捕塵ブラシ体２を被掃除対象体に押付けると、蓋体８には閉状態から排出口を開く方向の回転力を受ける。
このとき、各第１爪６８，６９は、図７に示すように、閉状態で、突起傾斜面７５を上下方向ＵＤの下方から各ボタン止め突起６５，６６の突起止め傾斜面７１に押付け、第２爪７０は、閉状態で、突起平面７８を上下方向ＵＤの下方から各ハンドル止め突起６５，６６の突起止め平面７２に押付けることから、蓋体８が閉状態から排出口２４を開く方向へ回転することを規制する。これにより、掃除中に、蓋体８は開かない。
【産業上の利用可能性】
【００９５】
本発明は、絨毯、畳、フォローリング、自動車の車内を掃除するのに最適である。
【符号の説明】
【００９６】
Ｘ  手動掃除具
１  ケーシング体
５，６  ローラ車輪
７  ローラブラシ体
８  蓋体
１５  枠本体
４６  剛性軸
４７，４８  ガイドローラ
４９  清掃ブラシ布
５１  基布
５２  カットパイル
【図１】
2020185237.tif 000003
【図２】
2020185237.tif 000004
【図３】
2020185237.tif 000005
【図４】
2020185237.tif 000006
【図５】
2020185237.tif 000007
【図６】
2020185237.tif 000008
【図７】
2020185237.tif 000009
【図８】
2020185237.tif 000010
【図９】
2020185237.tif 000011
【図１０】
2020185237.tif 000012
【図１１】
2020185237.tif 000013
【図１２】
2020185237.tif 000014
【図１３】
2020185237.tif 000015
【図１４】
2020185237.tif 000016
【図１５】
2020185237.tif 000017
【図１６】
2020185237.tif 000018
【図１７】
2020185237.tif 000019
【図１８】
2020185237.tif 000020
【手続補正書】
【提出日】令和2年8月7日(2020.8.7)
【手続補正１】
【補正対象書類名】特許請求の範囲
【補正対象項目名】全文
【補正方法】変更
【補正の内容】
【特許請求の範囲】
【請求項１】
左右方向の右壁板及び左壁板、前後方向の前壁板及び後壁板で内部空間を区画する枠本体を有し、前記各壁板の上下方向の上端に排出口を形成したケーシング体と、
前記枠本体に回動自在に取付けられる一対のローラ車輪と、
前記ケーシング体内に配置されるローラブラシ体と、
前記枠本体に回動自在に取付けられ、前記排出口を開閉する蓋体と、
前記排出口を開いた開状態の前記蓋体を保持する蓋開き保持体と、を備え、
前記各ローラ車輪は、
車輪外周面を前記各壁板の上下方向の下端から突出して配置され、
前記枠本体の外側から前記右壁板及び前記左壁板の夫々に回動自在に軸支され、
前記ローラブラシ体は、
剛性軸と、
前記剛性軸の軸中心線と同心に配置され、前記剛性軸の各軸端側に取付けられる一対のガイドローラと、
基布、及び前記基布の布表面から起立したカットパイルで形成され、前記基布の布裏面から前記剛性軸の軸外周面に螺旋状に巻付けられ、前記カットパイルの先端を前記各ガイドローラの外周面から突出して、前記剛性軸に取付けられる清掃ブラシ布と、を備え、
前記剛性軸の軸中心線を左右方向に向け、前記清掃ブラシ布の前記カットパイルの一部及び前記各ガイドローラの一部を前記各壁板の下端から突出して、前記ケーシング体内に配置され、
前記剛性軸の弾性変形の状態で前記枠本体から取外自在とされて、前記剛性軸の各軸端側を前記枠本体に回動自在に軸支し、
前記蓋体は、
前記左右方向の右蓋板、及び左蓋板と、
前記右蓋板及び前記左蓋板の間に配置され、前記右蓋板及び前記左蓋板に一体にされる上蓋板と、
前記右蓋板から前記左右方向の左方に突出する第１蓋回動軸と、
前記左蓋板から前記左右方向の右方に突出する第２蓋回動軸と、を備え、
前記右蓋板を前記右壁板の外側に配置し、及び前記左蓋板を前記左壁板の外側に配置して、前記第１蓋回動軸を前記右壁板に回動自在に軸支し、及び前記第２蓋回動軸を前記左壁板に回動自在に軸支して、前記枠本体に取付けられ、
前記上蓋板は、
前記排出口を閉じた閉状態で、前記前壁板及び前記排出口を覆って、前記右壁板及び前記左壁板の上端に当接され、
前記右蓋板及び前記左蓋板は、
前記排出口を閉じた閉状態で、前記各ローラ車輪の外側に配置され、
前記排出口を開いた開状態で、前記右壁板及び前記左壁板の一部を覆って配置され、
前記蓋開き保持体は、
前後方向の前記ローラ車輪及び前記前壁板の間に配置されて、前記右壁板に形成される第１ガイド円弧溝と、
前後方向の前記ローラ車輪及び前記前壁板の間に配置されて、前記左壁板に形成される第２ガイド円弧溝と、
前記第１ガイド円弧溝に配置される第１止め突起と、
前記第２ガイド円弧溝に配置される第２止め突起と、
前記右蓋板に形成される第１ガイド突起と、
前記左蓋板に形成される第２ガイド突起と、を有し、
前記第１ガイド円弧溝は、
前記第１蓋回動軸と同心に配置され、前記後壁板側の前記右壁板の下端側及び前記前壁板側の前記右壁板の下端側で円弧状に形成され、
前記第２ガイド円弧溝は、
前記第２蓋回動軸と同心に配置され、前記後壁板側の前記左壁板の下端側及び前記前壁板側の前記左壁板の下端側で円弧状に形成され、
前記第１止め突起は、
前記第１ガイド円弧溝の前記前壁板側に配置されて、前記第１ガイド円弧溝の溝底面から前記右蓋板に向けて突出され、
前記第２止め突起は、
前記第２ガイド円弧溝の前記前壁板側に配置されて、前記第２ガイド円弧溝の溝底面から前記左蓋板に向けて突出され、
前記第１ガイド突起は、
前記右蓋板から突出され、前記第１ガイド円弧溝の溝底面に隙間を隔てて、前記第１ガイド円弧溝内に挿入され、
前記排出口の開いた開状態で、前記第１ガイド円弧溝の前方溝端及び前記第１止め突起の間に配置されと共に、前記第１止め突起に当接して、前記蓋体の開状体を保持し、
前記第２ガイド突起は、
前記左蓋板から突出され、前記第２ガイド円弧溝の溝底面に間隔を隔てて、前記第２ガイド円弧溝内に挿入され、
前記排出口を開いた開状態で、前記第２ガイド円弧溝の前方溝端及び前記第２止め突起の間に配置されると共に、前記第２止め突起に当接して、前記蓋体の開状態を保持する
ことを特徴とする手動掃除具。
【請求項２】
前記ケーシング体は、
ハンドルを有し、
前記ハンドルは、
前記剛性軸の軸中心線の方向の中心に配置されて、前記後壁板に形成され、
前記後壁板から前記前後方向の後方に延在される
ことを特徴とする請求項１に記載の手動掃除具。
【請求項３】
前記ハンドルに配置される操作ボタンと、
前記排出口を閉じた閉状態の前記蓋体を保持する蓋閉じ保持体と、を備え、
前記蓋閉じ保持体は、
前記操作ボタンの操作に伴って、前記蓋体を閉状態から前記排出口を開く方向に押出して、前記蓋体を回動自在にする
ことを特徴とする請求項１に記載の手動掃除具。
【請求項４】
左右方向の右壁板及び左壁板、前後方向の前壁板及び後壁板で内部空間を区画する枠本体を有し、前記各壁板の上下方向の上端に排出口を形成したケーシング体と、
前記枠本体に回動自在に取付けられる一対のローラ車輪と、
前記ケーシング体内に配置されるローラブラシ体と、
前記枠本体に回動自在に取付けられ、前記排出口を開閉する蓋体と、
前記排出口を開いた開状態の前記蓋体を保持する蓋開き保持体と、を備え、
前記ローラブラシ体は、
ブラシ軸と、
基布、及び前記基布の布表面から起立したカットパイルで形成され、前記基布の布裏面から前記ブラシ軸の軸外周面に巻付けられ、前記ブラシ軸に取付けられる清掃ブラシ布と、を備え、
前記ブラシ軸の軸中心を左右方向に向け、前記清掃ブラシ布の前記カットパイルの一部を前記各壁板の下端から突出して、前記ケーシング体内に配置され、
前記ブラシ軸の各軸端側を前記枠本体に回転自在に軸支し、
前記蓋体は、
前記左右方向の右蓋板、及び左蓋板と、
前記右蓋板及び前記左蓋板の間に配置され、前記右蓋板及び前記左蓋板に一体にされる上蓋板と、を備え、
前記右蓋板を前記右壁板の外側に配置し、前記左蓋板を前記左壁板の外側に配置して、前記右蓋板を前記右壁板に回動自在に軸支し、及び前記左蓋板を前記左壁板に回動自在に軸支して、前記枠本体に取付けられ、
前記蓋開き保持体は、
前記右壁板から前記右蓋板に向けて突出される止め突起と、
前記右蓋板から突出されるガイド突起と、を有し、
前記ガイド突起は、
前記排出口を閉じた閉状態から前記排出口を開く方向の前記蓋体の回転に伴って、前記止め突起を乗り越えて前記前壁板側に配置されると共に、前記止め突起に当接して、前記蓋体の開状態を保持する
ことを特徴とする手動掃除具。
【手続補正２】
【補正対象書類名】明細書
【補正対象項目名】０００６
【補正方法】変更
【補正の内容】
【０００６】
本発明に係る請求項１は、左右方向の右壁板及び左壁板、前後方向の前壁板及び後壁板で内部空間を区画する枠本体を有し、前記各壁板の上下方向の上端に排出口を形成したケーシング体と、前記枠本体に回動自在に取付けられる一対のローラ車輪と、前記ケーシング体内に配置されるローラブラシ体と、前記枠本体に回動自在に取付けられ、前記排出口を開閉する蓋体と、前記排出口を開いた開状態の前記蓋体を保持する蓋開き保持体と、を備え、前記各ローラ車輪は、車輪外周面を前記各壁板の上下方向の下端から突出して配置され、前記枠本体の外側から前記右壁板及び前記左壁板の夫々に回動自在に軸支され、前記ローラブラシ体は、剛性軸と、前記剛性軸の軸中心線と同心に配置され、前記剛性軸の各軸端側に取付けられる一対のガイドローラと、基布、及び前記基布の布表面から起立したカットパイルで形成され、前記基布の布裏面から前記剛性軸の軸外周面に螺旋状に巻付けられ、前記カットパイルの先端を前記各ガイドローラの外周面から突出して、前記剛性軸に取付けられる清掃ブラシ布と、を備え、前記剛性軸の軸中心線を左右方向に向け、前記清掃ブラシ布の前記カットパイルの一部及び前記各ガイドローラの一部を前記各壁板の下端から突出して、前記ケーシング体内に配置され、前記剛性軸の弾性変形の状態で前記枠本体から取外自在とされて、前記剛性軸の各軸端側を前記枠本体に回動自在に軸支し、前記蓋体は、前記左右方向の右蓋板、及び左蓋板と、前記右蓋板及び前記左蓋板の間に配置され、前記右蓋板及び前記左蓋板に一体にされる上蓋板と、前記右蓋板から前記左右方向の左方に突出する第１蓋回動軸と、前記左蓋板から前記左右方向の右方に突出する第２蓋回動軸と、を備え、前記右蓋板を前記右壁板の外側に配置し、及び前記左蓋板を前記左壁板の外側に配置して、前記第１蓋回動軸を前記右壁板に回動自在に軸支し、及び前記第２蓋回動軸を前記左壁板に回動自在に軸支して、前記枠本体に取付けられ、前記上蓋板は、前記排出口を閉じた閉状態で、前記前壁板及び前記排出口を覆って、前記右壁板及び前記左壁板の上端に当接され、前記右蓋板及び前記左蓋板は、前記排出口を閉じた閉状態で、前記各ローラ車輪の外側に配置され、前記排出口を開いた開状態で、前記右壁板及び前記左壁板の一部を覆って配置され、前記蓋開き保持体は、前後方向の前記ローラ車輪及び前記前壁板の間に配置されて、前記右壁板に形成される第１ガイド円弧溝と、前後方向の前記ローラ車輪及び前記前壁板の間に配置されて、前記左壁板に形成される第２ガイド円弧溝と、前記第１ガイド円弧溝に配置される第１止め突起と、前記第２ガイド円弧溝に配置される第２止め突起と、前記右蓋板に形成される第１ガイド突起と、前記左蓋板に形成される第２ガイド突起と、を有し、前記第１ガイド円弧溝は、前記第１蓋回動軸と同心に配置され、前記後壁板側の前記右壁板の下端側及び前記前壁板側の前記右壁板の下端側で円弧状に形成され、前記第２ガイド円弧溝は、前記第２蓋回動軸と同心に配置され、前記後壁板側の前記左壁板の下端側及び前記前壁板側の前記左壁板の下端側で円弧状に形成され、前記第１止め突起は、前記第１ガイド円弧溝の前記前壁板側に配置されて、前記第１ガイド円弧溝の溝底面から前記右蓋板に向けて突出され、前記第２止め突起は、前記第２ガイド円弧溝の前記前壁板側に配置されて、前記第２ガイド円弧溝の溝底面から前記左蓋板に向けて突出され、前記第１ガイド突起は、前記右蓋板から突出され、前記第１ガイド円弧溝の溝底面に隙間を隔てて、前記第１ガイド円弧溝内に挿入され、前記排出口の開いた開状態で、前記第１ガイド円弧溝の前方溝端及び前記第１止め突起の間に配置されると共に、前記第１止め突起に当接して、前記蓋体の開状体を保持し、前記第２ガイド突起は、前記左蓋板から突出され、前記第２ガイド円弧溝の溝底面に間隔を隔てて、前記第２ガイド円弧溝内に挿入され、前記排出口を開いた開状態で、前記第２ガイド円弧溝の前方溝端及び前記第２止め突起の間に配置されると共に、前記第２止め突起に当接して、前記蓋体の開状態を保持することを特徴とする手動掃除具である。
請求項１では、剛性軸は、ブラシ軸であり、ローラブラシ本体は、剛性軸（ブラシ軸）を弾性変形することにより枠本体から取外自在とされて、剛性軸（ブラシ軸）の各軸端側を枠本体に回動自在に軸支する構成も採用できる。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】変更
【補正の内容】
【０００９】
本発明に係る請求項３は、前記ハンドルに配置される操作ボタンと、前記排出口を閉じた閉状態の前記蓋体を保持する蓋閉じ保持体と、を備え、前記蓋閉じ保持体は、前記操作ボタンの操作に伴って、前記蓋体を閉状態から前記排出口を開く方向に押出して、前記蓋体を回動自在にすることを特徴とする請求項１に記載の手動掃除具である。
【手続補正５】
【補正対象書類名】明細書
【補正対象項目名】００１０
【補正方法】変更
【補正の内容】
【００１０】
本発明に係る請求項４は、左右方向の右壁板及び左壁板、前後方向の前壁板及び後壁板で内部空間を区画する枠本体を有し、前記各壁板の上下方向の上端に排出口を形成したケーシング体と、前記枠本体に回動自在に取付けられる一対のローラ車輪と、前記ケーシング体内に配置されるローラブラシ体と、前記枠本体に回動自在に取付けられ、前記排出口を開閉する蓋体と、前記排出口を開いた開状態の前記蓋体を保持する蓋開き保持体と、を備え、前記ローラブラシ体は、ブラシ軸と、基布、及び前記基布の布表面から起立したカットパイルで形成され、前記基布の布裏面から前記ブラシ軸の軸外周面に巻付けられ、前記ブラシ軸に取付けられる清掃ブラシ布と、を備え、前記ブラシ軸の軸中心を左右方向に向け、前記清掃ブラシ布の前記カットパイルの一部を前記各壁板の下端から突出して、前記ケーシング体内に配置され、前記ブラシ軸の各軸端側を前記枠本体に回転自在に軸支し、前記蓋体は、前記左右方向の右蓋板、及び左蓋板と、前記右蓋板及び前記左蓋板の間に配置され、前記右蓋板及び前記左蓋板に一体にされる上蓋板と、を備え、前記右蓋板を前記右壁板の外側に配置し、前記左蓋板を前記左壁板の外側に配置して、前記右蓋板を前記右壁板に回動自在に軸支し、及び前記左蓋板を前記左壁板に回動自在に軸支して、前記枠本体に取付けられ、前記蓋開き保持体は、前記右壁板から前記右蓋板に向けて突出される止め突起と、前記右蓋板から突出されるガイド突起と、を有し、前記ガイド突起は、前記排出口を閉じた閉状態から前記排出口を開く方向の前記蓋体の回転に伴って、前記止め突起を乗り越えて前記前壁板側に配置されると共に、前記止め突起に当接して、前記蓋体の開状態を保持することを特徴とする手動掃除具である。
【手続補正６】
【補正対象書類名】明細書
【補正対象項目名】００１１
【補正方法】変更
【補正の内容】
【００１１】
本発明は、前記ローラ車輪は、前記右壁板及び前記左壁板の夫々に回動自在に取付けられるローラ内輪と、前記ローラ内輪の外周面に一体に取付けられるローラ外輪と、を有し、前記ローラ外輪は、合成ゴムを含む弾性体で形成されることを特徴する手動掃除具である。
【手続補正７】
【補正対象書類名】明細書
【補正対象項目名】００１４
【補正方法】変更
【補正の内容】
【００１４】
本発明によれば、蓋体を回動することで、ケーシング体の排出口を開閉することができる。
【手続補正８】
【補正対象書類名】明細書
【補正対象項目名】００１５
【補正方法】変更
【補正の内容】
【００１５】
本発明に係る請求項３によれば、清掃中に、ローラブラシ体（カットパイル）を被掃除対象物体に押付けることで、蓋体に閉状態から排出口を開く方向への力（回転力）が作用しても、蓋閉じ保持体によって蓋の閉状態を保持できる。
【手続補正９】
【補正対象書類名】明細書
【補正対象項目名】００１６
【補正方法】変更
【補正の内容】
【００１６】
本発明によれば、蓋開き保持体によって蓋体の開状態を保持することで、蓋体を閉じることなく、排出口を上下方向の下方に向けて、集塵したゴミ、塵埃を内部空間から排出できる。
【手続補正１０】
【補正対象書類名】明細書
【補正対象項目名】００１７
【補正方法】変更
【補正の内容】
【００１７】
本発明によれば、各ローラ車輪の外周面を合成ゴム等の弾性体で形成しているので、被掃除対象体を各ローラ車輪で傷つけることを防止できる。
【手続補正１１】
【補正対象書類名】明細書
【補正対象項目名】００４３
【補正方法】変更
【補正の内容】
【００４３】
第２除塵ブラシ体４は、図３及び図５に示すように、第２ワイパー本体４４及び第２除塵ブラシ４５を有する。
第２除塵ブラシ４５は、第２ワイパー本体４４に取付けられる。第２除塵ブラシ４５は、第２捕塵ブラシ４０と同一方向に傾斜して複数の傾斜パイル（傾斜カットパイル）で形成される。第２ワイパー本体４４は、前後方向ＦＲにおいて、ドラム本体３７（捕塵ブラシ体２）及び後壁板２３の間に配置され、第２除塵ブラシ４５を第２捕塵ブラシ４０（捕塵ブラシ体２）に圧接して、第１集塵室１Ｂに配置される。第２ワイパー本体４４は、左右方向ＬＲに延在されて、枠本体１５に揺動自在に軸支される。
【手続補正１２】
【補正対象書類名】明細書
【補正対象項目名】００８４
【補正方法】変更
【補正の内容】
【００８４】
第１ガイド突起８４は、図１０、図１１及び図１４に示すように、蓋体８の右蓋板５３に形成される。第１ガイド突起８４は、右蓋板５３から突出されて、第１ガイド円弧溝８０の溝底面８０Ａに隙間を隔てて、第１ガイド円弧溝８０内に挿入される。
【手続補正１３】
【補正対象書類名】明細書
【補正対象項目名】００８５
【補正方法】変更
【補正の内容】
【００８５】
第２ガイド突起８５は、図１０、図１１及び図１５に示すように、蓋体８の左蓋板５４に形成される。第２ガイド突起８５は、左蓋板５４から突出して、第２ガイド円弧溝８１の溝底面８１Ａに隙間を隔てて、第２ガイド円弧溝８１内に挿入される。第２ガイド突起８５は、第１ガイド突起８４と同一位置に形成される。